(57)【特許請求の範囲】
【請求項１】
洗濯対象物が投入される投入口が設けられたキャビネットと、
前記キャビネットの内部に設けられて洗濯水が貯蔵され、前記投入口に連通するタブ投入口が設けられたタブと、
前記タブの内部に回転可能に設けられ、前記タブ投入口に流入する洗濯対象物が収容されるドラムと、
前記投入口の下部に位置して洗剤が貯蔵され、貯蔵された洗剤を前記タブに供給する洗剤供給モジュールと、
前記タブに洗濯水を供給し、前記タブに供給される洗濯水を用いて前記洗剤供給モジュールを洗浄する給水部と、を含むことを特徴とする、衣類処理装置。
【請求項２】
前記洗剤供給モジュールは液体洗剤を貯蔵する、請求項１に記載の衣類処理装置。
【請求項３】
前記洗剤供給モジュールは、
前記洗剤が貯蔵され、前記投入口の下部に位置する少なくとも１つのコンテナと、
前記少なくとも１つのコンテナを前記タブに連通させ、前記給水部が連結される少なくとも１つの洗剤供給管と、
前記少なくとも１つの洗剤供給管に設けられ、前記少なくとも１つのコンテナに貯蔵された洗剤を前記タブに移動させる少なくとも１つの洗剤ポンプと、をさらに含む、請求項１に記載の衣類処理装置。
【請求項４】
前記給水部は、前記少なくとも１つの洗剤ポンプと前記タブとの間に位置した少なくとも１つの洗剤供給管を介して前記タブに洗濯水を供給する、請求項３に記載の衣類処理装置。
【請求項５】
前記投入口の上部に設けられて洗剤が貯蔵され、前記タブ及び前記給水部に連通する洗剤貯蔵モジュールをさらに含む、請求項３に記載の衣類処理装置。
【請求項６】
前記給水部は、
前記洗剤貯蔵モジュールに洗濯水を供給する第１給水流路と、
前記少なくとも１つの洗剤供給管に洗濯水を供給する第２給水流路と、を含む、請求項５に記載の衣類処理装置。
【請求項７】
前記少なくとも１つの洗剤供給管と前記キャビネットの外部とを連通させる少なくとも１つの分岐流路をさらに含む、請求項６に記載の衣類処理装置。
【請求項８】
前記投入口の上部に設けられて洗剤が貯蔵され、前記タブと連通する洗剤貯蔵モジュールをさらに含み、
前記洗剤供給モジュールは、
洗剤が貯蔵され、前記投入口の下部に位置する少なくとも１つのコンテナと、
前記少なくとも１つのコンテナを前記洗剤貯蔵モジュールに連通させ、前記給水部が連結される少なくとも１つの洗剤供給管と、
前記少なくとも１つの洗剤供給管を介して、前記少なくとも１つのコンテナに貯蔵された洗剤を前記タブに移動させる少なくとも１つの洗剤ポンプと、をさらに含む、請求項１に記載の衣類処理装置。
【請求項９】
前記給水部は、
前記洗剤貯蔵モジュールに洗濯水を供給する第１給水流路と、
前記少なくとも１つの洗剤供給管に洗濯水を供給する第２給水流路と、を含む、請求項８に記載の衣類処理装置。
【請求項１０】
前記第２給水流路は、前記少なくとも１つの洗剤ポンプと前記洗剤貯蔵モジュールとの間に位置した洗剤供給ラインに洗濯水を供給する、請求項９に記載の衣類処理装置。
【請求項１１】
前記少なくとも１つのコンテナは、互いに異なる種類の洗剤を貯蔵する多数のコンテナとして備えられる、請求項１に記載の衣類処理装置。
【請求項１２】
前記キャビネットは、前記キャビネットの高さ方向の中心軸に対して所定角度拡張されたフロントパネルをさらに含み、前記投入口は前記フロントパネルに設けられる、請求項１に記載の衣類処理装置。
【請求項１３】
キャビネットの内部に設けられ、洗濯水が貯蔵されるタブと、前記タブの内部に回転可能に設けられ、洗濯対象物が収容されるドラムと、洗剤が貯蔵される少なくとも１つのコンテナと、前記少なくとも１つのコンテナと前記タブとを連通させる少なくとも１つの洗剤供給管と、前記少なくとも１つのコンテナの内部の洗剤を前記少なくとも１つの洗剤供給管に排出させる少なくとも１つの洗剤ポンプと、前記少なくとも１つの洗剤供給管に水を供給する給水部とが備えられた衣類処理装置の制御方法であって、
前記少なくとも１つの洗剤ポンプを介して前記少なくとも１つのコンテナの内部の洗剤を前記少なくとも１つのタブに供給するステップと、
前記少なくとも１つの洗剤供給管に残留する洗剤を前記タブに移動させることによって前記少なくとも１つの洗剤供給管を洗浄するために、前記給水部を用いて前記少なくとも１つの洗剤供給管に水を供給するステップと、
前記給水部が供給する水を前記少なくとも１つのコンテナに供給して、前記少なくとも１つのコンテナの内部を洗浄するステップと、
を含むことを特徴とする、衣類処理装置の制御方法。
【請求項１４】
前記給水部が供給する水を前記少なくとも１つのコンテナに供給して、前記少なくとも１つのコンテナの内部を洗浄するステップは、
前記給水部を介して前記少なくとも１つの洗剤供給管に水を供給するステップと、
前記少なくとも１つの洗剤ポンプを介して、前記少なくとも１つの洗剤供給管に供給される水を前記少なくとも１つのコンテナに供給するステップと、
前記少なくとも１つの洗剤ポンプを介して前記少なくとも１つのコンテナの内部の水を排水するステップと、を含む、請求項１３に記載の衣類処理装置の制御方法。
【請求項１５】
前記少なくとも１つの洗剤ポンプを介して、前記少なくとも１つのコンテナの内部に貯蔵された少なくとも１つの洗剤を前記タブに供給するステップは、前記少なくとも１つの洗剤ポンプに設けられたインペラを第１方向に回転させることによって行われ、
前記少なくとも１つの洗剤ポンプを介して、前記少なくとも１つの洗剤供給管に供給される水を前記少なくとも１つのコンテナに供給するステップは、前記インペラを前記第１方向と反対の方向である第２方向に回転させることによって行われ、
前記少なくとも１つの洗剤ポンプを介して前記少なくとも１つのコンテナの内部の水を排水するステップは、前記インペラを前記第１方向に回転させることによって行われる、請求項１４に記載の衣類処理装置の制御方法。
【請求項１６】
前記少なくとも１つの洗剤ポンプを介して前記少なくとも１つのコンテナの内部の水を排水するステップにおいて、前記少なくとも１つのコンテナの内部の水は、前記少なくとも１つの洗剤供給管を介して前記タブの内部に排出される、請求項１４に記載の衣類処理装置の制御方法。
【請求項１７】
前記少なくとも１つの洗剤ポンプを介して前記コンテナの内部の水を排水するステップにおいて、前記少なくとも１つのコンテナの内部の水は、前記少なくとも１つの洗剤供給管から分岐して前記少なくとも１つのコンテナの内部を前記キャビネットの外部と連通させる分岐流路を介して、前記キャビネットの外部に排出させる、請求項１４に記載の衣類処理装置の制御方法。
【請求項１８】
前記少なくとも１つの洗剤供給管に残留する洗剤を前記タブに移動させることによって前記少なくとも１つの洗剤供給管を洗浄するために、前記給水部を用いて少なくとも１つの洗剤供給管に水を供給するステップは、前記洗剤を供給するステップが既設定の基準回数だけ行われたときに実行される、請求項１３に記載の衣類処理装置の制御方法。
【請求項１９】
洗濯対象物が投入される投入口が設けられたキャビネットと、
前記キャビネットの内部に設けられて洗濯水が貯蔵され、前記投入口に連通するタブ投入口が設けられたタブと、
前記タブの内部に回転可能に設けられ、前記タブ投入口に流入する洗濯対象物が収容されるドラムと、
前記投入口の下部に位置して第１洗剤が貯蔵され、貯蔵された第１洗剤を前記タブに供給する第１洗剤供給モジュールと、
前記投入口の上部に位置して第２洗剤を貯蔵し、貯蔵された第２洗剤を前記タブに供給する第２洗剤供給モジュールと、
前記タブに洗濯水を供給し、前記タブに供給される洗濯水を用いて前記第１洗剤供給モジュールを洗浄する給水部と、を含むことを特徴とする、衣類処理装置。
【請求項２０】
前記第１洗剤供給モジュールは、第３洗剤をさらに貯蔵し、貯蔵された第３洗剤を前記タブに供給可能に設けられる、請求項１９に記載の衣類処理装置。
【請求項２１】
前記給水部は、
前記タブに水を供給する第１給水流路と、
前記第１洗剤供給モジュールに設けられた少なくとも１つの洗剤供給管に水を供給する第２給水流路と、を含む、請求項１９に記載の衣類処理装置。
【請求項２２】
前記第１給水流路は、前記第２洗剤供給モジュールを介して水を供給する、請求項２１に記載の衣類処理装置。
【発明の詳細な説明】
【技術分野】
【０００１】
本発明は、衣類処理装置に関する。
【背景技術】
【０００２】
一般に、衣類処理装置は、洗濯対象物を乾燥する乾燥機、洗濯対象物を洗濯する洗濯機などを含んでなる。洗濯機は洗濯のために洗剤を使用し、洗濯機には、一般的に洗剤を供給する洗剤貯蔵部が備えられる。
【０００３】
以下、添付の図面を参照して、従来の洗剤貯蔵部について簡略に説明する。
【０００４】
図１は、従来技術による衣類処理装置を示したものである。図示のように、従来技術による衣類処理装置１は、外形を形成し、洗濯対象物を投入するためのドアが設けられたキャビネット１０と、キャビネット１０の内部に設けられ、洗濯水が貯蔵されるタブ２０と、タブ２０の内部に回転可能に設けられ、投入される洗濯対象物が収納されて洗濯されるドラム３０と、タブ２０に洗濯水を供給するために弁４４が設けられた給水部４０と、洗濯を完了した洗濯水を排水するための排水部６０とを備えることができる。
【０００５】
このような衣類処理装置は、ドラム３０によって洗濯される洗濯対象物の洗濯効果を向上させるために、タブ２０及びドラム３０に洗濯水と洗剤を同時に投入するための洗剤貯蔵部５０を備えることができる。
【０００６】
このような洗剤貯蔵部５０は、一般的に衣類処理装置１の前方へ一部が引き出されるドロア形態の洗剤投入部５２を備えることができ、引き出された洗剤投入部５２に洗剤を投入し、洗剤投入部５２を洗剤貯蔵部５０に収納すると、洗濯水と共にタブ２０及びドラム３０に供給されて、ドラム３０によって洗濯対象物を洗濯できるように設けられる。
【０００７】
上述した従来の洗剤貯蔵部５０は、衣類処理装置１の上部一側に位置し得るため、使用者は、洗剤を衣類処理装置１の上部まで持ち上げて洗剤投入部５２に投入しなければならないという不便さがあった。
【０００８】
最近は、衣類処理装置１の下部面を支持する受け台をさらに備えることで、衣類処理装置１の衣類投入口（具体的には、ドア１２）の位置を高くする場合がある。しかし、衣類処理装置１に受け台が追加される場合、上述した洗剤投入部の位置はさらに高くなり、使用者の不便さを増加させるという問題があった。
【発明の概要】
【発明が解決しようとする課題】
【０００９】
本発明は、洗剤が貯蔵される空間の高さを低くすることによって、従来の衣類処理装置の不便さを解消することを解決しようとする課題とする。
【００１０】
また、本発明は、洗剤が貯蔵される空間の高さを低くすると共に、貯蔵された洗剤を洗濯対象物に容易に供給する洗剤供給モジュールが備えられた衣類処理装置を提供することを解決しようとする課題とする。
【００１１】
また、本発明は、洗剤供給モジュールから洗濯対象物が貯蔵された空間に洗剤を供給する流路の洗浄及び詰まりを防止することができる衣類処理装置を提供することを解決しようとする課題とする。
【００１２】
また、本発明は、洗濯対象物の洗濯時に、洗剤供給モジュールに貯蔵された洗剤の一定量を洗濯対象物が貯蔵された空間に供給することができる衣類処理装置を提供することを目的とする。
【課題を解決するための手段】
【００１３】
本発明に係る実施例は、洗濯対象物が投入される投入口が設けられたキャビネットと、前記キャビネットの内部に設けられて洗濯水が貯蔵され、前記投入口に連通するタブ投入口が設けられたタブと、前記タブの内部に回転可能に設けられ、前記タブ投入口に流入する洗濯対象物が収容されるドラムと、前記投入口の下部に位置して液体洗剤が貯蔵され、貯蔵された液体洗剤を前記タブに供給する洗剤供給モジュールと、前記タブに洗濯水を供給し、前記タブに供給される洗濯水を用いて前記洗剤供給モジュールを洗浄する給水部とを含む衣類処理装置を提供することができる。
【００１４】
前記洗剤供給モジュールは、液体洗剤が貯蔵され、前記投入口の下部に位置するコンテナと、前記コンテナを前記タブに連通させ、前記給水部が連結される洗剤供給管と、前記洗剤供給管に設けられ、前記コンテナの内部の液体洗剤を前記タブに移動させる洗剤ポンプとをさらに含むことができる。
【００１５】
前記給水部は、前記洗剤ポンプと前記タブとの間に位置した洗剤供給管を介して前記タブに洗濯水を供給することができる。
【００１６】
前記投入口の上部に設けられて洗剤が貯蔵され、前記タブ及び前記給水部に連通する洗剤貯蔵モジュールをさらに含むことができる。
【００１７】
前記給水部は、前記洗剤貯蔵モジュールに洗濯水を供給する第１給水流路と、前記洗剤供給管に洗濯水を供給する第２給水流路とを含むことができる。
【００１８】
前記衣類処理装置は、前記投入口の上部に設けられて洗剤が貯蔵され、前記タブと連通する洗剤貯蔵モジュールをさらに含むことができる。前記洗剤供給モジュールは、液体洗剤が貯蔵され、前記投入口の下部に位置するコンテナと、前記コンテナを前記洗剤貯蔵モジュールに連通させ、前記給水部が連結される洗剤供給管と、前記洗剤供給管を介して前記コンテナの内部の液体洗剤を前記タブに移動させる洗剤ポンプとをさらに含むことができる。
【００１９】
前記給水部は、前記洗剤貯蔵モジュールに洗濯水を供給する第１給水流路と、前記洗剤供給管に洗濯水を供給する第２給水流路とを含むことができる。
【００２０】
前記第２給水流路は、前記洗剤ポンプと前記洗剤貯蔵モジュールとの間に位置した洗剤供給ラインに洗濯水を供給することができる。
【００２１】
本発明に係る実施例は、キャビネットの内部に設けられ、洗濯水が貯蔵されるタブと、前記タブの内部に回転可能に設けられ、洗濯対象物が収容されるドラムと、液体洗剤が貯蔵されるコンテナと、前記コンテナと前記タブとを連通させる洗剤供給管と、前記コンテナの内部の液体洗剤を前記洗剤供給管に排出させる洗剤ポンプと、前記洗剤供給管に水を供給する給水部とが備えられた衣類処理装置の制御方法を提供する。本制御方法は、前記洗剤ポンプを介して前記コンテナの内部の液体洗剤を前記タブに供給する洗剤供給ステップと、前記給水部を介して前記洗剤供給管に水を供給して、前記洗剤供給管に残留する液体洗剤を前記タブに移動させる供給管洗浄ステップとを含む衣類処理装置の制御方法を提供する。
【００２２】
前記制御方法は、前記給水部が供給する水を前記コンテナに供給して前記コンテナの内部を洗浄するコンテナ洗浄ステップをさらに含むことができる。
【００２３】
前記コンテナ洗浄ステップは、前記給水部を介して前記洗剤供給管に水を供給する第１洗浄段階と、前記洗剤ポンプを介して、前記洗剤供給管に供給される水を前記コンテナに供給する第２洗浄段階と、前記洗剤ポンプを介して前記コンテナの内部の水を排出させる第３洗浄段階とを含むことができる。
【００２４】
前記洗剤供給ステップは、前記洗浄ポンプに設けられたインペラを第１方向に回転させることによって行われ、前記第２洗浄段階は、前記インペラを前記第１方向と反対の方向である第２方向に回転させることによって行われ、前記第３洗浄段階は、前記インペラを前記第１方向に回転させることによって行われてもよい。
【００２５】
前記コンテナの内部の水を排出させる段階は、前記洗剤供給管を介して前記コンテナの内部の水を前記タブの内部に排出させることができる。
【００２６】
前記コンテナの内部の水を排出させる段階は、前記洗剤供給管から分岐して前記コンテナの内部を前記キャビネットの外部と連通させる分岐流路を介して、前記コンテナの内部の水を前記キャビネットの外部に排出させることができる。
【００２７】
前記供給管洗浄ステップは、前記洗剤供給ステップが既設定の基準回数だけ行われたときに実行されてもよい。
【発明の効果】
【００２８】
本発明は、洗剤が貯蔵される空間の高さを低くすることによって、従来の衣類処理装置の不便さを解消する効果を図ることができる。
【００２９】
また、本発明は、洗剤が貯蔵される空間の高さを低くすると共に、貯蔵された洗剤を洗濯対象物に容易に供給する洗剤供給モジュールが備えられた衣類処理装置を提供する効果を図ることができる。
【００３０】
また、本発明は、洗剤供給モジュールから洗濯対象物が貯蔵された空間に洗剤を供給する流路の洗浄及び詰まりを防止できる衣類処理装置を提供する効果を図ることができる。
【００３１】
また、本発明は、洗濯対象物の洗濯時に、洗剤供給モジュールに貯蔵された洗剤の一定量を洗濯対象物が貯蔵された空間に供給できる衣類処理装置を提供する効果を図ることができる。
【図面の簡単な説明】
【００３２】
【図１】従来の衣類処理装置の側断面図である。
【図２】本発明の衣類処理装置の実施例を示す図である。
【図３】本発明の衣類処理装置の実施例を示す図である。
【図４】本発明の衣類処理装置の実施例を示す図である。
【図５】洗剤供給モジュールの実施例を示す図である。
【図６】洗剤供給モジュールの実施例を示す図である。
【図７】洗剤供給モジュールの他の実施例を示す図である。
【図８】洗剤供給モジュールとキャビネットの組立過程の一例を示すフローチャートである。
【図９】洗剤供給モジュールに貯蔵された洗剤をタブに供給できる流路を示す図である。
【図１０】洗剤供給管の洗浄が可能な衣類処理装置の一例を示す図である。
【図１１】洗剤供給管の洗浄が可能な衣類処理装置の一例を示す図である。
【発明を実施するための形態】
【００３３】
以下では、添付の図面を参照して、本発明の好ましい実施例を詳細に説明する。明細書全般にわたって同一の参照番号は同一の構成要素を示す。
【００３４】
図２乃至図４は、本発明の衣類処理装置の実施例を示し、図５(a), ５(b)及び図６は、洗剤供給モジュールの実施例を示したものである。
【００３５】
本発明の実施例に係る衣類処理装置１００は、洗濯対象物の処理（洗濯、乾燥など）のための第１処理装置１００ａのみが設けられてもよく、図２に示すように、第１処理装置１００ａと、第１処理装置の下部に設けられ、洗濯対象物の処理（洗濯、乾燥など）を担当する第２処理装置１００ｂとを含むように備えられてもよい。
【００３６】
以下では、第１処理装置１００ａと第２処理装置１００ｂが全て設けられた衣類処理装置１００を基準として説明する。
【００３７】
第２処理装置１００ｂは、第１処理装置１００ａの下部面以外の位置に設けられてもよく、第２処理装置１００ｂは、少量の洗濯対象物を洗濯または乾燥する装置であってもよい。
【００３８】
また、第２処理装置１００ｂは、洗濯対象物または洗濯に必要な洗剤などを保管する収納空間であってもよく、第１処理装置１００ａの高さを高くする単純な受け台であってもよい。
【００３９】
第１処理装置１００ａは、外観を形成するキャビネット１１０と、キャビネット１１０の内部に設けられ、洗濯水が貯蔵されるタブ１３０と、タブ１３０の内部に回転可能に設けられ、洗濯対象物が収容されるドラム１４０と、タブ１３０の後方に設けられ、ドラム１４０を回転させる駆動部１７０と、タブ１３０に洗濯水を供給する給水部１６０と、タブ１３０の洗濯水を排水する排水部１８０と、洗剤が貯蔵され、貯蔵された洗剤をタブ１３０に供給する洗剤供給モジュール２００とを含む。
【００４０】
図３に示すように、キャビネット１１０は、フロントパネル１１２、バックパネル（図示せず）、側面パネル１１６、及び上部パネル１１９を含むことができる。また、キャビネット１１０は、上述したパネルを支持できるフレーム１１１をさらに含むことができる。フレーム１１１は、各パネル１１２，１１６，１１９によって外部からは見えない。
【００４１】
フレーム１１１には、フロントパネル１１２が固定される上部設置面１１１ａと、洗剤供給モジュール２００が固定される下部設置面１１１ｂとを備えることができ、上部設置面１１１ａはフレーム１１１の上部に位置し、下部設置面１１１ｂはフレーム１１１の下部に位置する。
【００４２】
フロントパネル１１２には、タブ１３０に連通するように設けられ、洗濯対象物がタブに投入される投入口１１３が設けられ、投入口１１３はドア１２０によって開閉することができる。
【００４３】
ドア１２０には、衣類処理装置１００の操作のためのコントロールパネル１２２を設けることができる。
【００４４】
フロントパネル１１２は、フレーム１１１から遠ざかる方向に傾斜して設けられてもよい。すなわち、フロントパネル１１２の上部面は上部設置面１１１ａに固定され、フロントパネル１１２の下部面は、フレーム１１１と所定距離離隔して設けられてもよい。
【００４５】
フロントパネル１１２は、第１処理装置１００ａの内部空間において下部空間（開口部）１１５が外部に露出するようにフレーム１１１に結合されてもよく、フロントパネル１１２の下部に露出した空間には洗剤供給モジュール２００を設けることができる。したがって、フロントパネル１１２及び洗剤供給モジュール２００によって第１処理装置１００ａの前方面を形成することができる。
【００４６】
側面パネル１１６は、フレーム１１１の両側面に締結されて第１処理装置１００ａの側面を形成することができる。側面パネル１１６は、四角形状の板状に設けられてもよく、フロントパネル１１２に接触する面が傾斜して設けられてフロントパネル１１２を支持するように設けられてもよい。
【００４７】
一方、側面パネル１１６が四角形状の板状に形成される場合、側面パネル１１６とフロントパネル１１２との間には、フロントパネル１１２を支持する支持パネル１１７をさらに備えることができる。
【００４８】
支持パネル１１７は、フロントパネル１１２の両側面に結合されて、ドア１２０が収容される空間及び洗剤供給モジュール２００が収容される空間（開口部）１１５を形成することができる。
【００４９】
支持パネル１１７は、側面パネル１１６が形成する面と並んだ面を形成するように設けられ、フロントパネル１１２の両側面に結合されてもよい。
【００５０】
ただし、支持パネル１１７とフロントパネル１１２は一体に設けられても構わない。この場合、補強部材１１４によってフロントパネル１１２と支持パネル１１７を同時にフレーム１１１に結合できるので、組立過程を単純化することができる。
【００５１】
フロントパネル１１２の傾斜角を維持させ、フロントパネル１１２の固定状態を補強するために、フロントパネル１１２の両側面には補強部材１１４をさらに備えることができる。この場合、支持パネル１１７は補強部材１１４に固定されてもよい。
【００５２】
図４に示すように、タブ１３０には、投入口１１３に対応するタブ投入口１３２を設けることができ、ドラム１４０には、投入口１１３及びタブ投入口１３２に対応するドラム投入口１４２を設けることができる。
【００５３】
したがって、使用者は、ドア１２０を開けて投入口１１３を開放した後、タブ投入口１３２及びドラム投入口１４２を介して洗濯対象物をドラム１４０に投入したり、またはドラム１４０から取り出したりすることができる。
【００５４】
投入口１１３とタブ投入口１３２との間にはガスケット１５０を設けることができる。ガスケット１５０は、タブ１３０の振動がキャビネット１１０に伝達されることを防止するだけでなく、タブ１３０の内部の洗濯水が漏れることを防止する手段となり得る。
【００５５】
一方、洗濯対象物の投入及び取り出しが容易なように、タブ１３０及びドラム１４０は、キャビネット１１０の内部に所定角度傾斜して設けられてもよい。
【００５６】
この場合、タブ投入口１３２、ドラム投入口１４２及び投入口１１３は、フロントパネル１１２の傾斜面に対してそれぞれ平行な状態で形成することができる。
【００５７】
フロントパネルの傾斜面がドラムの回転軸に対して直角を形成する場合、地面（水平線）を基準としたタブ１３０及びドラム１４０の傾斜角は、地面に垂直な直線に対するフロントパネル１１２の傾斜角と同一であるように設けられてもよい。
【００５８】
ドア１２０は、投入口１１３、タブ投入口１３２及びドラム投入口１４２を開閉できるようにフロントパネル１１２に回転可能に設けられてもよい。
【００５９】
タブ１３０の後方には、ドラム１４０を回転させる駆動部１７０を設けることができ、駆動部１７０は、タブ１３０の背面に固定されたステータと、ステータを取り囲むように設けられたローターと、タブ１３０の後方を貫通してドラム１４０とローターとを連結する回転軸とを備えることができる。
【００６０】
キャビネット１１０の内部には、洗剤が貯蔵され、給水部１６０が洗濯水を供給すると、貯蔵された洗剤をタブに供給する洗剤貯蔵モジュール１９０をさらに備えることができる。
【００６１】
洗剤貯蔵モジュール１９０は、投入口１３２の上部に設けられ、洗剤が貯蔵される貯蔵ボディー１９４と、貯蔵ボディー１９４とタブ１３０とを連通させるタブ供給管１９６とを備えることができる。
【００６２】
この場合、給水部１６０は、衣類処理装置１００の外部に位置した給水源と貯蔵ボディー１９４とを連結する給水流路１６２と、給水流路を開閉する給水弁１６４とを備えることができる。
【００６３】
洗剤貯蔵モジュール１９０は、貯蔵ボディー１９４がキャビネットから引き出されるドロア（ｄｒａｗｅｒ）形態で設けられてもよく、この場合、タブ供給管１９６は、長さが可変する構造または材料で形成しなければならない。
【００６４】
ただし、貯蔵ボディー１９４が、キャビネット１１０の内部に固定されて、キャビネットから引き出すことができない構造であれば、上部パネル１１９には、貯蔵ボディー１９４を開閉するボディードア１９２（図３参照）を備えなければならない。
【００６５】
上述した洗剤貯蔵モジュール１９０は、設置位置及び洗剤供給方式において洗剤供給モジュール２００と区別することができる。
【００６６】
すなわち、洗剤貯蔵モジュール１９０は投入口１１３の上部に位置する一方、洗剤供給モジュール２００は投入口１１３の下部に位置するという点で区別することができる。また、洗剤貯蔵モジュール１９０は、給水部１６０によって、貯蔵された洗剤をタブに供給するが、洗剤供給モジュール２００は、洗剤ポンプ２１１，２１３を介して、貯蔵された洗剤をタブに供給するという点で互いに区別される。したがって、洗剤貯蔵モジュール１９０は洗剤の長期間保管が難しい一方、洗剤供給モジュール２００は洗剤の長期間保管が可能である。さらに、洗剤貯蔵モジュール１９０は、液体洗剤及び粉末洗剤を全て貯蔵することができるが、洗剤供給モジュール２００は、別途の洗剤溶解装置がない限り、液体洗剤のみを貯蔵することができるという点で区別できる。
【００６７】
排水部１８０は、タブに貯蔵された洗濯水をキャビネット１１０の外部に排出させる手段であって、タブ１３０と排水ポンプ１８５とを連結する第１排水流路１８１と、排水ポンプ１８５から排出された洗濯水をキャビネット１１０の外部に案内する第２排水流路１８３とを備えることができる。
【００６８】
第１排水流路１８１には、排水ポンプ１８５に移動する洗濯水を濾過するフィルター１８９をさらに備えることができ、使用者がフィルター１８９に残留する異物の清掃を容易に行えるように、フィルター１８９は第１排水流路１８１に着脱可能に設けられることが好ましい。さらに、使用者がフィルター１８９の交換を容易に行えるように、フィルター１８９は、洗剤供給モジュール２００が位置する開口部１１５に位置することが好ましく、詳細は後述する。
【００６９】
図５(a) 及び図５(b)に示すように、洗剤供給モジュール２００は、開口部１１５に設けられて、洗剤の貯蔵及び貯蔵された洗剤を洗剤貯蔵モジュール１９０を介してタブ１３０に供給する手段となり得る。ただし、図５に示したものとは異なり、洗剤供給モジュール２００は、洗剤をタブ１３０に直接供給するように設けられてもよい。
【００７０】
開口部１１５は、フロントパネル１１２の下部面、及びフロントパネル１２２の両側面に設けられた支持パネル１１７によって形成される空間として定義することができる。この場合、第１処理装置１００ａの前方面は、フロントパネル１１２及び洗剤供給モジュール２００によって形成される。
【００７１】
ただし、フロントパネル１１２のみでキャビネット１１１の前方面が形成される場合、開口部１１５は、図５に示したものとは異なり、投入口１１３の下部にフロントパネル１１２を貫通するように設けられるホール（投入口１１３と分離されて設けられる）として定義することができる。
【００７２】
すなわち、フロントパネル１１２は、投入口１１３が設けられる第１領域と、第１領域の下部に位置し、開口部１１５が設けられる第２領域とを含むように備えられてもよい。この場合、第１領域には、投入口１１３の開閉のためのドア１２０が回転可能に設けられ、第２領域には洗剤供給モジュール２００が設けられる。
【００７３】
いずれの場合でも、洗剤供給モジュール２００は、投入口１１３の下部に設けて、開口部１１５を開閉可能な形態で設けることが好ましい。さらに、洗剤供給モジュール２００は、フレーム１１１の下部設置面１１１ｂに結合されるモジュールパネル２１０と、モジュールパネル２１０に回転可能に設けられるモジュールドア２２０と、モジュールドア２２０に設けられ、洗剤が貯蔵される空間を提供するコンテナ２３０とを備えることができる。
【００７４】
モジュールパネル２１０がフレーム１１１に結合されることによって、洗剤供給モジュール２００が第１処理装置１００ａに固定されるので、本発明は、洗剤供給モジュール２００の組立過程を単純化することができる。
【００７５】
モジュールドア２２０は、開口部１１５を開閉する手段であって、モジュールパネル２１０にヒンジ２２７結合され、コンテナ２３０が収容される収納フレーム２２１を含むことができる。
【００７６】
ヒンジ２２７は、モジュールドア２２０の下部面をモジュールパネル２１０に結合させるように設けられてもよく、モジュールドア２２０は、第１固定部２２３を介してキャビネット１１１に着脱可能である。
【００７７】
第１固定部２２３は、モジュールドア２２０またはキャビネット１１１のいずれかに設けられるロッカー（ｌｏｃｋｅｒ）２２３ａと、モジュールドア２２０とキャビネット１１１の残りの１つに設けられ、ロッカー２２３ａが収容されるロッカー溝２２３ｂとを備えることができる。ロッカー２２３ａ及びロッカー溝２２３ｂはプッシュボタン（ｐｕｓｈ  ｂｕｔｔｏｎ）構造を有することができる。
【００７８】
ロッカー２２３ａ及びロッカー溝２２３ｂは、上述した機能を具現できる限り、モジュールドア２２０のどの位置に設けてもよく、図５は、ロッカー及びロッカー溝がモジュールドア２２０の上部に設けられた場合を一例として示している。
【００７９】
さらに、モジュールドア２２０には、モジュールドア２２０の回転角度を調節する第２固定部２２５をさらに備えることができる。第２固定部２２５もまた、上述した機能を具現できる限り、モジュールドア２２０のどの位置に設けてもよく、図５は、第２固定部２２５がモジュールドア２２０の両側面に設けられた場合を一例として示している。
【００８０】
第２固定部２２５は、モジュールドア２２０の側面から開口部１１５に向かって延びる延長バー２２５ａ（図６参考）と、延長バーから突出して設けられた突起２２５ｂと、キャビネット１１１に設けられ、突起２２５ｂが着脱可能なストッパー２２５ｃとを備えることができる。
【００８１】
ストッパー２２５ｃは、支持パネル１１７の内周面から突出した形態で設けられてもよく、延長バー２２５ａと突起２２５ｂは一体に形成することができる。延長バー２２５ａ、突起２２５ｂ及びストッパー２２５ｃのうち少なくともいずれか１つは、弾性変形が可能な材質で構成することができ、延長バー２２５ａが、弾性変形の可能な材質で構成されることが好ましい。
【００８２】
モジュールドア２２０が開口部１１５を閉鎖した状態（ロッカー２２３ａがロッカー溝２２３ｂと結合された状態）で、使用者がモジュールドア２２０を開口部１１５の方向に押すと、ロッカー２２３ａとロッカー溝２２３ｂとの結合が解除され、モジュールドア２２０は、キャビネット１１１から遠ざかる方向に回転できるようになる。
【００８３】
モジュールドア２２０がキャビネット１１１から遠ざかる方向に回転すると、第２固定部の延長バー２２５ａ及び突起２２５ｂもキャビネットから遠ざかる方向に移動し、突起２２５ｂがストッパー２２５ｃに結合されると、モジュールドア２２０は回転が停止するので、モジュールドア２２０は、第１角度だけ回転した状態を維持するようになる（モジュールドアの第１作動）。
【００８４】
第１角度は、モジュールドア２２０に設けられたコンテナ２３０の上部面が開口部１１５から露出した状態を維持する角度に設定されることが好ましい（図５(a)）。
【００８５】
モジュールドア２２０の第１作動が完了した状態で、使用者がモジュールドア２２０をキャビネット１１１から遠ざかる方向に引っ張ると、モジュールドア２２０は第２作動を行うようになる（図５(b)）。
【００８６】
使用者によってモジュールドア２２０が引っ張られると、延長バー２２５ａは弾性変形を起こすので、突起２２５ｂとストッパー２２５ｃとの結合が解除される。突起とストッパーとの結合が解除されると、モジュールドア２２０は第２角度まで回転するようになる。
【００８７】
第２角度は、モジュールパネル２１０に着脱可能に設けられたフィルター１８９が露出される角度に設定することができる。この場合、第１処理装置１００ａには、モジュールドア２２０が第２角度を維持できるようにモジュールドア２２０を支持する第２ストッパー（図示せず）をさらに備えることができる。第２ストッパーは、モジュールドア２２０とモジュールパネル２１０とを結合させるヒンジに備えるか、またはキャビネット１１１の下部面にモジュールドア２２０を支持するプレートとして備えることができる。
【００８８】
図５(b)は、第２角度が、モジュールドア２２０が地面と実質的に平行な角度に設定された場合を一例として示したものである。
【００８９】
一方、第１作動及び第２作動を行う間にモジュールドア２２０が急激に回転することを防止するために、第１処理装置１００ａにはダンパー（図示せず）をさらに備えることができる。ダンパーは、シリンダーまたは弾性部材であってもよい。コンテナ２３０に洗剤が貯蔵されている場合、洗剤及びコンテナ２３０の重量によってモジュールドア２２０が急激に回転することがある。この場合、コンテナ２３０がモジュールドア２２０から分離される危険があるが、ダンパーは、このような問題を解決する手段となる。
【００９０】
モジュールドア２２０が第１角度まで回転（第１作動）すると、コンテナ２３０は第１処理装置１００ａの外部に露出するので、使用者は、コンテナ２３０に貯蔵された洗剤の量や、コンテナに清掃が必要であるか否かを確認することができ、必要に応じて、コンテナ２３０を第１処理装置１００ａから分離することもできる。
【００９１】
一方、モジュールドア２２０が第２角度まで回転（第２作動）すると、フィルター１８９が第１処理装置１００ａの外部に露出するので、使用者は、フィルター１８９の交換や洗浄を行うことができる。
【００９２】
モジュールドア２２０に備えられるコンテナ２３０は、１種類の洗剤のみを貯蔵するように備えられてもよいが、２つ以上の互いに異なる洗剤を貯蔵できるように備えられてもよい。一方、図６に示すように、コンテナ２３０は、第１洗剤が貯蔵される第１コンテナ２３１と、第２洗剤（第１洗剤と異なる種類の洗剤）が貯蔵される第２コンテナ２３３とを備えることができる（３つ以上のコンテナを備えてもよい）。
【００９３】
この場合、収納フレーム２２１は、第１コンテナ２３１が収容される第１収納部２２１ａと、第２コンテナ２３３が収容される第２収納部２２１ｂとを備えることが好ましい。第１収納部２２１ａと第２収納部２２１ｂは、収納フレーム２２１が提供する内部空間を区分する隔壁によって互いに分離される。
【００９４】
第１コンテナ２３１及び第２コンテナ２３３は、各収納部２２１ａ，２２１ｂに着脱可能に設けることができ、この場合、各コンテナ２３１，２３３には、コンテナ２３１，２３３に貯蔵された洗剤を収納部２２１ａ，２２１ｂに排出させる洗剤排出管２３５を設けなければならない。
【００９５】
すなわち、第１コンテナ２３１の底面２３６には、第１コンテナ２３１に貯蔵された洗剤を第１収納部２２１ａに排出させる第１洗剤排出管２３５ａが設けられ、第２コンテナ２３３の底面には、第２コンテナ２３３に貯蔵された洗剤を第２収納部２２１ｂに排出させる第２洗剤排出管２３５ｂが設けられてもよい。
【００９６】
第１洗剤排出管２３５ａ及び第２洗剤排出管２３５ｂは、各コンテナ２３１，２３３が各収納部２２１ａ，２２１ｂに挿入されたとき、各コンテナ２３１，２３３に貯蔵された洗剤を各収納部２２１ａ，２２１ｂに排出させる構造を有することができる。
【００９７】
第１コンテナの上部面２３２には、第１洗剤の供給のための第１洗剤投入口２３２ａと、第１洗剤投入口２３２ａの開閉のためのリッド（Ｌｉｄ）２３２ｂとを備え、第２コンテナの上部面２３４には、第２洗剤の供給のための第２洗剤投入口２３４ａと、第２洗剤投入口の開閉のためのリッド２３４ｂとを備えることができる。
【００９８】
各コンテナの上部面２３２，２３４及び各リッド２３２ｂ，２３４ｂのうち少なくともいずれか１つは透明な材質で形成することができる。各コンテナの上部面２３２，２３４が透明な材質で形成される場合、上部面全体が透明な材質で形成される必要はない。すなわち、コンテナの上部面２３２，２３４のうちの少なくとも一部の領域が透明な材質で形成されてもよい。
【００９９】
さらに、各コンテナ２３１，２３３の上部の断面積は、各コンテナの下部の断面積よりも大きくてもよい。また、各コンテナは、上部面２３２，２３４から底面２３６に行くほど断面が減少する形態で備えられてもよい。
【０１００】
したがって、使用者は、透明な上部面２３２，２３４やリッド２３２ｂ，２３４ｂを通じて、各コンテナ２３１，２３３に貯蔵された洗剤の量、各コンテナの内部の汚染状態を確認することができる。また、各コンテナの上部の断面積が下部の断面積よりも大きく形成されるので、使用者は、透明な材質で形成される上部面２３２，２３４やリッド２３２ａ，２３４ｂを通じて、各コンテナ２３１，２３３の内部を一目で確認可能である（コンテナの内部空間のデッドゾーン除去）。
【０１０１】
さらに、各コンテナの上部面２３２，２３４は、コンテナに着脱可能に設けることができる。各コンテナ２３１，２３３を各収納部２２１ａ，２２１ｂから分離せずにコンテナの内部を洗浄できるようにするためである。
【０１０２】
第１コンテナ２３１には、洗濯対象物の汚染物質を除去する液体洗剤（第１洗剤）が貯蔵され、第２コンテナ２３３には、繊維を柔らかくする柔軟剤（第２洗剤）が貯蔵される場合、第２コンテナ２３３の体積は、第１コンテナ２３１の体積よりも小さくてもよい。
【０１０３】
第１洗剤に比べて第２洗剤の使用量が少ないことが一般的であるので、フィルター１８９を第２コンテナ２３３の下部に位置するようにモジュールパネル２１０に結合させる場合、洗剤供給モジュール２００の体積を最小化することができる。
【０１０４】
モジュールドア２２０が回転可能に結合されるモジュールパネル２１０には、コンテナ２３０に貯蔵された洗剤を洗剤貯蔵モジュール１９０に供給する洗剤ポンプ２１１，２１３が固定される。さらに、モジュールパネル２１０には、フィルター１８９が着脱可能に収容されるフィルター着脱孔２１９を設けることができる。
【０１０５】
モジュールパネル２１０は、下部設置面１１１ｂに結合することができれば、いかなる形状であってもよく、フィルター着脱孔２１９は、モジュールパネル２１０を貫通するように設けられてフィルター１８９を支持するので、使用者は、フィルター着脱孔２１９を介してフィルター１８９を排水部１８０から分離したり、結合させたりすることができる。
【０１０６】
各コンテナ２３１，２３３に貯蔵された洗剤は、ポンプ連結管２１５，２１７を介して洗剤ポンプに流入し、洗剤ポンプから排出される洗剤は、洗剤供給管２１２，２１４を介して洗剤貯蔵モジュール１９０に案内される。
【０１０７】
コンテナが第１コンテナ２３１及び第２コンテナ２３３を備える場合、洗剤ポンプは、第１コンテナ２３１に連通し得る第１洗剤ポンプ２１１と、第２コンテナ２３３に連通し得る第２洗剤ポンプ２１３とを備えることができる。
【０１０８】
第１洗剤ポンプ２１１は、第１ポンプ連結管２１５を介して第１収納部２２１ａに連結され、第２洗剤ポンプ２１３は、第２ポンプ連結管２１７を介して第２収納部２２１ｂに連結される。各コンテナ２３１，２３３には、各収納部２２１ａ，２２１ｂに洗剤を排出させる洗剤排出管２３５ａ，２３５ｂが設けられているので、コンテナから収納部２２１ａ，２２１ｂに排出された洗剤は、各ポンプ連結管２１５，２１７を介して各洗剤ポンプ２１１，２１３に供給することができる。
【０１０９】
一方、各洗剤排出管２３５ａ，２３５ｂは、各ポンプ連結管２１５，２１７に洗剤を直接排出するように設けられてもよい。この場合にも、各洗剤排出管２３５ａ，２３５ｂは、各コンテナ２３１，２３３が各収納部２２１ａ，２２１ｂに挿入されたときに洗剤を各ポンプ連結管２１５，２１７に排出させる構造を有することが好ましい。
【０１１０】
第１洗剤ポンプ２１１に流入した洗剤は、第１洗剤供給管２１２を介して洗剤貯蔵モジュール１９０に供給され、第２洗剤ポンプ２１３に流入した洗剤は、第２洗剤供給管２１４を介して洗剤貯蔵モジュール１９０に供給される。
【０１１１】
ただし、上述とは異なり、第１洗剤供給管２１２は、第１洗剤ポンプ２１１とタブ１３０とを連結するように設けられ、第２洗剤供給管２１４は、第２洗剤ポンプ２１３とタブ１３０とを連結するように設けられてもよい。
【０１１２】
モジュールパネル２１０には、ポンプ連結管２１５，２１７が貫通する連結管孔２１８が設けられてもよい。連結管孔２１８は、モジュールパネル２１０の下端に形成することが好ましい。
【０１１３】
洗剤ポンプ２１１，２１３はモジュールパネル２１０の背面に固定され、コンテナ２３０はモジュールパネルの前方面（モジュールパネルとモジュールドアとの間の空間）に位置するので、連結管孔２１８は、モジュールドア２２０が回転するときに各ポンプ連結管２１５，２１７が各洗剤ポンプ２１１，２１３から分離されることを防止するための手段である。
【０１１４】
さらに、ポンプ連結管２１５，２１７は、フレキシブル（ｆｌｅｘｉｂｌｅ）な材質で形成され、モジュールドア２２０が第２角度まで回転した場合にも各洗剤ポンプ２１１，２１３と各収納部２２１ａ，２２１ｂとを連結可能な長さを有することが好ましい。
【０１１５】
連結管孔２１８には、ポンプ連結管２１５，２１７をモジュールパネル２１０に固定させるホルダー（図示せず）をさらに備えることができ、これは、連結管孔２１８と洗剤ポンプ２１１，２１３との間に位置した各ポンプ連結管２１５，２１７の長さを一定に維持させることによって、モジュールドア２２０の回転時にポンプ連結管２１５，２１７が絡み合うことを防止するためである。
【０１１６】
図７は、洗剤供給モジュールの一例を示したものである。上述した洗剤供給モジュール２００が備えられた第１処理装置１００ａは、モジュールドア２２０を開放しなければフィルター１８９を排水部１８０から分離することができないが、図７は、モジュールドア２２０を開放せずにフィルター１８９を排水部１８０から分離可能な場合を示したものである。
【０１１７】
図７の洗剤供給モジュール２００は、モジュールドア２２０を貫通するように設けられ、フィルター１８９に対応する位置に設けられる連通孔２２８と、連通孔２２８を開閉する連通孔リッド２２９とをさらに含むことが特徴である。
【０１１８】
洗剤供給モジュール２００の体積の最小化のために、フィルター１８９は第２コンテナ２３３の下部に位置することができるので、連通孔２２８もまた第２コンテナ２３３の下部に位置したモジュールドア２２０を貫通するように設けることができる。
【０１１９】
本実施例は、連通孔リッド２２９をモジュールドア２２０から分離すると、連通孔２２８を介してフィルター１８９が露出される構造であるので、使用者は、モジュールドア２２０の開放なしにも、フィルター１８９を排水部１８０から分離可能である。
【０１２０】
上述した実施例において、コンテナ２３０は、モジュールドア２２０から着脱可能なように設けられたが、コンテナ２３０は、モジュールパネル２１０やキャビネット１１０から着脱可能なように設けられてもよい。コンテナ２３０がモジュールパネル２１０に着脱可能に設けられる場合、収納フレーム２２１はモジュールパネル２１０に設けなければならない。
【０１２１】
しかし、コンテナ２３０がキャビネット１１０に着脱可能に設けられる場合、モジュールパネル２１０の役割を、キャビネット１１０の下部設置面１１１ｂが代わりにする（モジュールパネル２１０は省略してもよい）。すなわち、収納フレーム２２１及び洗剤ポンプ２１１，２１３は下部設置面１１１ｂ（又は、キャビネット１１０）に設けられ、フィルター１８９は下部設置面１１１ｂに着脱可能に固定されてもよい。
【０１２２】
さらに、コンテナ２３０は、モジュールドア２２０、モジュールパネル２１０及びキャビネット１１０のいずれかに固定されて設けられてもよい。
【０１２３】
コンテナ２３０がモジュールドア２２０またはモジュールパネル２１０に固定されて設けられる場合、収納フレーム２２１は省略することができ、各洗剤ポンプ２１１，２１３は各コンテナ２３１，２３３に固定されて設けられてもよい。
【０１２４】
しかし、コンテナ２３０がキャビネット１１０に固定されて設けられる場合、モジュールパネル２１０は省略され、コンテナ２３０は、キャビネット１１０の下部設置面１１１ｂに固定されてもよい。この場合、収納フレーム２２１は省略することができ、各洗剤ポンプ２１１，２１３は各コンテナ２３１，２３３に固定されてもよい。
【０１２５】
洗剤供給モジュール２００に備えられる洗剤ポンプ２１１，２１３は、コンテナ２３０に貯蔵された洗剤をタブ１３０や洗剤貯蔵モジュール１９０に供給（貯蔵ボディー及びタブ供給管のいずれか１つに供給）することができれば、いかなる形態であってもよい。
【０１２６】
すなわち、洗剤ポンプ２１１，２１３は、インペラ（ｉｍｐｅｌｌｅｒ）の回転を介して流体を移動させる形態で設けられてもよく、洗剤供給流路の断面積の変化を誘導することによって流体を移動させる形態（Ｐｅｒｉｓｔａｌｔｉｃ  Ｐｕｍｐ）などで設けられてもよく、噛み合って回転する２つのギアを介して流体を移動させる形態（ｇｅａｒ  ｐｕｍｐ）などで設けられてもよい。
【０１２７】
また、上述した実施例は、第１洗剤及び第２洗剤が第１洗剤供給管２１２及び第２洗剤供給管２１４を介してタブ１３０に供給される構造に関するものであるが、第１洗剤供給管と第２洗剤供給管は１つの供給管として備えられても構わない。この場合、タブ１３０または洗剤貯蔵モジュール１９０に連結された供給管が分岐して第１洗剤ポンプ及び第２洗剤ポンプに連結され、供給管の分岐点には弁を備えてもよい。
【０１２８】
以下では、図３及び図８を参照して、第１処理装置１００ａの組立過程について説明する。図８は、洗剤供給モジュールとキャビネットの組立過程の一例を示すフローチャートである。
【０１２９】
第１処理装置の組立過程は、フレーム１１１の内部にタブ１３０、ドラム１４０、制御部（図示せず）、駆動部１７０などを設けるステップ（Ｓ１１０）が先に行われる。
【０１３０】
その後、フレーム１１１の両側面に側面パネル１１６を設け（Ｓ１２０）、下部設置面１１１ｂにモジュールパネル２１０を固定（Ｓ１３０）させる。
【０１３１】
モジュールパネル２１０には別途の組立過程を通じて洗剤ポンプ２１１，２１３、排水ポンプ１８５、排水フィルター１８９などが予め組み立てられた状態で、モジュールパネル２１０を下部設置面１１１ｂに固定させる過程（Ｓ１３０）が行われることが好ましい。
【０１３２】
モジュールパネル２１０の組立が完了すると、上部設置面１１１ａにはフロントパネル１１２が結合される（Ｓ１４０）。この場合、フロントパネル１１２の上部面は上部設置面１１１ａに結合され、フロントパネル１１２の下部面はモジュールパネル２１０の上部に別途の締結手段（図示せず）によって固定されてもよい。
【０１３３】
一方、フロントパネル１１２の両側面に設けられた補強部材１１４はフレーム１１１に固定されてもよく、この場合、フロントパネル１１２は、補強部材１１４によってフレーム１１１に強固に固定されるだけでなく、フロントパネル１１２の傾斜角の維持が可能になる。
【０１３４】
フロントパネル１１２の設置が完了すると、支持パネル１１７を設ける（Ｓ１５０）。支持パネル１１７は、補強部材１１４に固定されてもよく、フレーム１１１に固定されてもよい。支持パネル１１７は、フロントパネル１１２と側面パネル１１６との間に形成された空間を閉鎖するようになる。
【０１３５】
支持パネル１１７の組立後、フレーム１１１には上部パネル１１９が設けられる（Ｓ１６０）。上部パネル１１９の設置前、フレーム１１１の内部にはタブ１３０、ドラム１４０、駆動部１７０、給水部１６０、排水部１８０及び洗剤貯蔵モジュール１９０の設置が完了することが好ましい。
【０１３６】
また、洗剤ポンプ２１１，２１３と洗剤貯蔵モジュール１９０との間に設けられる洗剤供給管２１２，２１４もまた、上部パネル１１９の設置前に組立が完了することが好ましい。
【０１３７】
ただし、上部パネル１１９の組立前に、モジュールドア２２０をモジュールパネル２１０に結合する過程（Ｓ１７０）が先に行われても構わない。モジュールドア２２０の組立（Ｓ１７０）は、ヒンジ２２７を介してモジュールドア２２０をモジュールパネル２１０に結合させることによって行われる。
【０１３８】
その後、フロントパネル１１２にドア１２０を組み立てる（Ｓ１８０）と、第１処理装置の組立が完了する。
【０１３９】
以下では、図９を参照して、洗剤供給モジュール２００の洗剤供給過程について説明する。図９は、洗剤供給モジュールに貯蔵された洗剤をタブに供給できる流路を示したものである。
【０１４０】
洗剤ポンプ２１１，２１３が作動すると、コンテナ２３１，２３３に貯蔵された洗剤は、ポンプ連結管２１５，２１７を介して洗剤ポンプ２１１，２１３に供給され、洗剤ポンプに供給された洗剤は、洗剤供給管２１２，２１４を介して洗剤貯蔵モジュール１９０に備えられた貯蔵ボディー１９４に移動する。貯蔵ボディー１９４は、タブ供給管１９６を介してタブ１３０に連通するので、洗剤供給モジュール２００から貯蔵ボディー１９４に移動した洗剤は、タブ１３０に供給可能である。
【０１４１】
上述した場合は、洗剤貯蔵モジュール１９０に洗剤が貯蔵されていない場合を説明したものであるが、使用者は、必要に応じて、貯蔵ボディー１９４に別途の洗剤を供給することもできる。この場合、貯蔵ボディー１９４の内部の洗剤は、給水部１６０を介して供給される洗濯水によってタブに供給される。洗剤供給モジュール２００を介して貯蔵ボディー１９４に供給される洗剤は、洗濯水の供給時期に関係なく貯蔵ボディー１９４に供給することができるが、洗濯水の供給前または洗濯水の供給時期と同じ時期に貯蔵ボディー１９４に供給されることが好ましい。
【０１４２】
図９のような構造を有する第１処理装置１００ａは、洗剤供給管２１２，２１４が洗剤によって詰まる可能性を排除することができないが、図１０は、洗剤供給管２１２，２１４が洗剤によって詰まる問題を解決できることが特徴である。
【０１４３】
図１０(a)〜(d) 及び図１１は、洗剤供給管の洗浄が可能な衣類処理装置の一例を示すものである。
【０１４４】
図１０(a)は、洗剤貯蔵モジュール１９０が備えられていない場合における洗剤供給管２１２，２１４の洗浄が可能な構造に関する。
【０１４５】
本実施例に備えられた洗剤供給管２１２，２１４は、洗剤ポンプ２１１，２１３とタブ１３０の上部面とを連結するように設けられ、給水部１６０は、洗剤供給管２１２，２１４を介してタブ１３０に洗濯水を供給するように設けられる。
【０１４６】
洗濯時に洗剤及び洗濯水がタブ１３０に供給されることが一般的であるので、洗濯水の供給と共に、洗剤貯蔵モジュール２００に貯蔵された洗剤を供給するか、または洗剤の供給後に洗濯水がタブに供給されるように給水部１６０及び洗剤供給モジュール２００を制御する場合、洗剤供給管２１２，２１４が洗剤によって詰まることを防止することができる。
【０１４７】
図１０(b)、図１０(c)及び図１０(d)は、洗剤貯蔵モジュール１９０が備えられた場合における洗剤供給管を洗浄する構造を示している。
【０１４８】
図１０(b)は、洗剤供給管２１２，２１４が洗剤ポンプ２１１，２１３と貯蔵ボディー１９４とを連結するように設けられた実施例を示したもので、本実施例は、給水部１６０が供給する洗濯水が常に洗剤供給管２１２，２１４及び貯蔵ボディー１９４を経てタブ１３０に供給されるので、洗剤貯蔵モジュール１９０に貯蔵された洗剤をタブに供給できるだけでなく、洗剤供給管２１２，２１４が洗剤によって詰まることも防止することができる。
【０１４９】
図１０(c)の実施例の場合、給水部１６０に備えられた給水流路１６２は、貯蔵ボディー１９４へ洗濯水を供給する第１給水流路１６２ａと、洗剤供給管２１２，２１４へ洗濯水を供給する第２給水流路１６２ｂとを備えることができる。第１給水流路１６２ａと第２給水流路１６２ｂは、１つの流路１６２が分岐して設けられてもよく、各流路の分岐点には弁が設けられてもよい。
【０１５０】
洗剤貯蔵モジュール１９０に貯蔵された洗剤は、第１給水流路１６２ａを介して貯蔵ボディー１９４に供給される洗濯水によってタブ１３０に供給され、洗剤供給モジュール２００に貯蔵された洗剤は、洗剤ポンプ２１１，２１３の作動時に洗剤供給管２１２，２１４を介してタブ１３０に供給される。
【０１５１】
一方、洗剤供給管２１２，２１４の内部に残留する洗剤は、第２給水流路１６２ｂを介して供給される洗濯水によってタブに排出され、このような洗剤供給管の洗浄は、洗浄ポンプ２１１，２１３が洗剤供給管２１２，２１４を介して洗剤を供給する毎に行われてもよく、洗剤ポンプ２１１，２１３の作動回数が既設定の基準回数に到達したときに行われてもよい。
【０１５２】
図１０(d)の実施例は、洗剤供給管２１２，２１４は、洗剤ポンプ２１１，２１３と貯蔵ボディー１９４とを連結するように設けられ、給水部１６０は、貯蔵ボディー１９４に洗濯水を供給する第１給水流路１６２ａと、洗剤供給管２１２，２１４に洗濯水を供給する第２給水流路１６２ｂとを備えることが特徴である。
【０１５３】
本実施例の場合、第１給水流路１６２ａと第２給水流路１６２ｂは、１つの流路１６２が分岐して設けられてもよく、各流路１６２ａ，１６２ｂの分岐点には弁が設けられてもよい。
【０１５４】
洗剤貯蔵モジュール１９０に貯蔵された洗剤は、弁を介して第１給水流路１６２ａが開放されたときにタブ１３０に供給され、洗剤供給モジュール２００に貯蔵された洗剤は、洗剤ポンプ２１１，２１３の作動時に洗剤供給管２１２，２１４、貯蔵ボディー１９４、タブ供給管１９６を介してタブに供給される。
【０１５５】
一方、洗剤供給管２１２，２１４の内部に残留する洗剤は、弁によって第２給水流路１６２ｂに洗濯水が供給されるときにタブに排出される。このような洗剤供給管の洗浄は、洗剤ポンプ２１１，２１３が作動する毎に行われてもよく、洗剤ポンプの作動回数が既設定の基準回数に到達したときに行われてもよい。
【０１５６】
図１０に示された構造を有する第１処理装置１００ａにおいて洗剤供給管２１２，２１４に洗濯水を供給する流路１６２ｂ（図１０(a)の１６２）は、洗剤ポンプ２１１，２１３に洗濯水を供給（洗剤ポンプの内部の洗浄）するように設けられてもよく、洗剤ポンプの吐出口に洗濯水を供給するように設けられてもよい。
【０１５７】
一方、本発明に備えられた第１処理装置１００ａは、洗剤供給管２１２，２１４だけでなく、コンテナ２３０の洗浄も可能なように設けることができる。
【０１５８】
この場合、洗剤ポンプ２１１，２１３は、洗濯水を洗剤供給管２１２，２１４の方向に移動させることもでき、洗濯水をポンプ連結管２１５，２１７の方向にも移動させることができるように設けることができる。
【０１５９】
図９に示された構造を有する第１処理装置１００ａの場合、コンテナ２３０の洗浄は、洗剤貯蔵モジュール１９０を介して洗剤供給管２１２，２１４に流入した洗濯水を洗剤ポンプ２１１，２１３がコンテナ２３０に供給することによって行われ、コンテナ２３０に貯蔵された洗濯水は、洗剤ポンプ２１１，２１３が洗剤供給管２１２，２１４を介してタブ１３０に排出させるようになる。
【０１６０】
ただし、コンテナ２３０の内部の洗濯水をコンテナの外部に排出させる過程は、洗剤供給管２１２，２１４から分岐してコンテナの内部をキャビネットの外部と連通させる分岐流路を介して行われても構わない。
【０１６１】
分岐流路は、図１１に示すように、第１洗剤供給管２１２とキャビネット１１０の外部（例：第２排水流路１８３）とを連通させる第１分岐管２４１と、第２洗剤供給管２１４とキャビネットの外部とを連通させる第２分岐管２４５とを備えることができる。
【０１６２】
第１分岐管２４１には第１分岐管弁２４３が設けられ、第２分岐管２４５には第２分岐管弁２４７が設けられることが好ましい。第１分岐管弁２４３及び第２分岐管弁２４７は、コンテナの内部の洗剤を洗剤貯蔵モジュール１９０またはタブ１３０に供給するときには各分岐管２１４，２４５を閉鎖し、コンテナを洗浄する場合にのみ各分岐管２４１，２４５を開放させる。
【０１６３】
本実施例は、洗剤ポンプ２１１，２１３が洗剤貯蔵モジュール１９０及び洗剤供給管２１２，２１４を介して洗浄水の供給を受ける場合を基準として説明したものであるが、洗剤ポンプ２１１，２１３が給水源から直接洗浄水の供給を受けるように設けられても構わない。すなわち、給水源と洗剤ポンプ２１１，２１３との間には洗浄水が供給される別途の流路がさらに設けられても構わない。
【０１６４】
図１０(a)乃至図１０(d)に示された構造を有する第１処理装置１００ａの場合、コンテナ２３０の洗浄は、給水部１６０を介して洗剤供給管２１２，２１４に供給された洗濯水を洗剤ポンプ２１１，２１３がポンプ連結管２１５，２１７を介してコンテナ２３０に供給するステップと、コンテナ２３０に供給された洗濯水を洗剤ポンプ２１１，２１３が洗剤供給管２１２，２１４の方向に排出させるステップとを含んで行われてもよい。
【０１６５】
ただし、コンテナ２３０の内部の洗濯水をコンテナの外部に排出させる過程は、図１１の分岐流路を介して行われても構わない。
【０１６６】
図１０(a)乃至図１０(d)に示された第１処理装置１００ａは、洗剤供給管２１２，２１４の洗浄及びコンテナ２３０の洗浄を全て行うことができるように、洗剤ポンプ２１１，２１３を介してコンテナ２３０の内部の液体洗剤をタブに供給する洗剤供給ステップと、給水部１６０を介して洗剤供給管２１２，２１４に水を供給して洗剤供給管に残留する液体洗剤を排出させる供給管洗浄ステップと、給水部１６０を介して水をコンテナ２３０に供給してコンテナの内部を洗浄するコンテナ洗浄ステップとを行うように制御されてもよい。
【０１６７】
前記供給管洗浄ステップは、前記洗剤供給ステップが既設定の基準回数だけ行われたときに実行されてもよい。
【０１６８】
前記コンテナ洗浄ステップは、給水部を介して洗剤供給管２１２，２１４に水を供給する第１洗浄段階と、洗剤ポンプ２１１，２１３を介して、洗剤供給管２１２，２１４に供給される水をコンテナ２３０に供給する第２洗浄段階と、洗剤ポンプ２１１，２１３を介してコンテナ２３０に貯蔵された水を排出させる第３洗浄段階とを備えることができる。
【０１６９】
前記洗剤供給ステップは、洗浄ポンプ２１１，２１３に設けられたインペラを第１方向（コンテナの内部の液体を排出させる方向）に回転させることによって行われてもよい。
【０１７０】
第２洗浄段階は、インペラを第１方向と反対の方向である第２方向（コンテナの内部に液体を供給する方向）に回転させることによって行われ、前記第３洗浄段階は、インペラを第１方向に回転させることによって行われてもよい。
【０１７１】
前記第３洗浄段階は、洗剤供給管２１４，２１２を介してコンテナ２３０の内部の水をタブ１３０に排出させるように備えられてもよい。
【０１７２】
ただし、前記第３洗浄段階は、洗剤供給管２１２，２１４から分岐してコンテナの内部をキャビネットの外部と連通させる分岐流路２４１，２４３，２４５，２４７を介して、コンテナ２３０の内部の水をキャビネット１１０の外部に排出させても構わない。
【０１７３】
本発明は、様々な形態に変形実施が可能であり、上述した実施例にその権利範囲が限定されるものではない。したがって、変形した実施例が本発明の特許請求の範囲の構成要素を含んでいる場合、本発明の権利範囲に含まれるものと解さねばならない。
【図１】
0006006424.tif 000002
【図２】
0006006424.tif 000003
【図３】
0006006424.tif 000004
【図４】
0006006424.tif 000005
【図５（ａ）】
0006006424.tif 000006
【図５（ｂ）】
0006006424.tif 000007
【図６】
0006006424.tif 000008
【図７】
0006006424.tif 000009
【図８】
0006006424.tif 000010
【図９】
0006006424.tif 000011
【図１０（ａ）】
0006006424.tif 000012
【図１０（ｂ）】
0006006424.tif 000013
【図１０（ｃ）】
0006006424.tif 000014
【図１０（ｄ）】
0006006424.tif 000015
【図１１】
0006006424.tif 000016